(57)【要約】      （修正有）【課題】組立分解容易な揺り椅子を提供する。【解決手段】クッションユニットと、底座ユニットとを備え、底座ユニットは、左底座と、右底座と、および左底座と右底座とを接続する２本の中横管とを備え、左底座と右底座とが対称的に設置され、左底座に上支棒が設けられ、クッションユニットは、クッション本体と、２本の左右対称的な固定テープユニットと、を備え、固定テープユニットは、前引きテープと、後引きテープとを備え、それぞれに前引きテープに前引きリング、後引きテープに後引きリングが設けられ、前引きリングおよび後引きリング内に展開棒が設けられ、前引きテープに支持座ユニットが設けられ、支持座ユニットに上支棒が挿設されている。【選択図】図１
0003234094.tif 000002
【実用新案登録請求の範囲】
【請求項１】
組立分解容易な揺り椅子であって、クッションユニット１００と、底座ユニット２００と
を備え、底座ユニット２００は、左底座２０３と、右底座２０１と、および左底座２０３
と右底座２０１とを接続する２本の中横管２０２とを備え、左底座２０３と右底座２０１
とが対称的に設置され、左底座２０３に上支棒２０４が設けられ、クッションユニット１
００は、クッション本体１と、および２本の左右対称的な固定テープユニットと、を備え
、固定テープユニットは、前引きテープ４と、後引きテープ３とを備え、それぞれに前引
きテープ４に前引きリング４１、後引きテープ３に後引きリング３１が設けられ、前引き
リング４１および後引きリング３１内に展開棒８が設けられ、前引きテープ４に支持座ユ
ニット５０が設けられ、支持座ユニット５０に上支棒２０４が挿設されている、ことを特
徴とする組立分解容易な揺り椅子。
【請求項２】
前引きリング４１はクッション本体１の前端に、後引きリング３１はクッション本体１の
後端に固定接続されている、ことを特徴とする請求項１に記載の組立分解容易な揺り椅子
。
【請求項３】
支持座ユニット５０は、上受け座５と、下受け座６とを備え、上受け座５と下受け座６と
が固定接続され、前引きテープ４は、上受け座５と下受け座６の間に設置されている、こ
とを特徴とする請求項１に記載の組立分解容易な揺り椅子。
【請求項４】
下受け座６は支持孔６３を備え、支持孔６３に上支棒２０４が挿設されるように構成され
る、ことを特徴とする請求項３に記載の組立分解容易な揺り椅子。
【請求項５】
上受け座５に内窪溝５２が設けられ、下受け座６に凸起部６２が設けられ、前引きテープ
４の両端面はそれぞれ内窪溝５２、凸起部６２に緊密に貼合されている、ことを特徴とす
る請求項３に記載の組立分解容易な揺り椅子。
【請求項６】
上受け座５にネジ孔５１が設けられ、下受け座６に接続孔６１が設けられ、ネジ孔５１に
接続孔６１を貫通しているネジ７が取付けられている、ことを特徴とする請求項３に記載
の組立分解容易な揺り椅子。
【請求項７】
固定テープユニットにクッション本体１に接続されるテンションテープ２が設けられ、そ
れぞれにテンションテープ２に第１の調整リング２１が、後引きテープ３に第２の調整リ
ング３２が設けられている、ことを特徴とする請求項１に記載の組立分解容易な揺り椅子
。
【請求項８】
クッション本体１にカップ溝１１と腰掛け１２が設けられ、テンションテープ２と腰掛け
１２とが固定接続されている、ことを特徴とする請求項７に記載の組立分解容易な揺り椅
子。
【請求項９】
左底座２０３に継手２０５、および２本の継手２０５に着脱可能に接続される下支棒２０
６が設けられ、上支棒２０４、中横管２０２はいずれも継手２０５に着脱可能に接続され
る、ことを特徴とする請求項１に記載の組立分解容易な揺り椅子。
【請求項１０】
展開棒８の外周にスリーブ８１が取付けられている、ことを特徴とする請求項１に記載の
組立分解容易な揺り椅子。
【考案の詳細な説明】
【技術分野】
【０００１】
実用新案は、揺り椅子に関連し、特に組立分解容易な揺り椅子に関連しています。
【背景技術】
【０００２】
レジャーチェアとは、私たちが普段余暇を楽しむための椅子のことです。この椅子は食事
やオフィスチェアのような正式なものではなく、ちょっとした個性があり、視覚と身体の
二重の快適さをもたらします。
【０００３】
揺り椅子はレジャーチェアの中の一つで、よくある揺り椅子は藤条、木、金属などで作ら
れています。通常は体積が大きく、分解、据え付けが面倒です。技術者が小型の携帯用揺
り椅子を設計する必要があります。
【考案の概要】
【０００４】
組立分解容易な揺り椅子を提供する。クッションユニットは、底座ユニットに外套されて
いる。クッション本体上に座っていると、固定支持点である支持座ユニットを回って動揺
動作ができる。各部分や部品を分解し、それぞれ包装することができる。この場合、包装
後の体積が小さくなる。
【０００５】
上記の技術的問題を解決するために、本実用新案は、以下の技術的解決策を通じて実施さ
れる。
組立分解容易な揺り椅子は、クッションユニット１００と、底座ユニット２００とを備え
、底座ユニット２００は、左底座２０３と、右底座２０１と、および左底座２０３と右底
座２０１とを接続する２本の中横管２０２とを備え、左底座２０３と右底座２０１とが対
称的に設置され、左底座２０３に上支棒２０４が設けられ、クッションユニット１００は
、クッション本体１と、および、２本の左右対称的な固定テープユニットと、を備え、固
定テープユニットは、前引きテープ４と、後引きテープ３とを備え、それぞれに前引きテ
ープ４に前引きリング４１、後引きテープ３に後引きリング３１が設けられ、前引きリン
グ４１および後引きリング３１内に展開棒８が設けられ、前引きテープ４に支持座ユニッ
ト５０が設けられ、支持座ユニット５０に上支棒２０４が挿設されている。
【０００６】
好ましくは、前引きリング４１はクッション本体１の前端に、後引きリング３１はクッシ
ョン本体１の後端に固定接続されている。
【０００７】
好ましくは、支持座ユニット５０は、上受け座５と、下受け座６とを備え、上受け座５と
下受け座６とが固定接続され、前引きテープ４は、上受け座５と下受け座６の間に設置さ
れている。
【０００８】
好ましくは、下受け座６は支持孔６３を備え、支持孔６３に上支棒２０４が挿設されるよ
うに構成される。
【０００９】
好ましくは、上受け座５に内窪溝５２が設けられ、下受け座６に凸起部６２が設けられ、
前引きテープ４の両端面はそれぞれ内窪溝５２、凸起部６２に緊密に貼合されている。
【００１０】
好ましくは、上受け座５にネジ孔５１が設けられ、下受け座６に接続孔６１が設けられ、
ネジ孔５１に接続孔６１を貫通しているネジ７が取付けられている。
【００１１】
好ましくは、固定テープユニットにクッション本体１に接続されるテンションテープ２が
設けられ、それぞれにテンションテープ２に第１の調整リング２１が、後引きテープ３に
第２の調整リング３２が設けられている。
【００１２】
好ましくは、クッション本体１にカップ溝１１と腰掛け１２が設けられ、テンションテー
プ２と腰掛け１２とが固定接続されている。
【００１３】
好ましくは、左底座２０３に継手２０５、および２本の継手２０５に着脱可能に接続され
る下支棒２０６が設けられ、上支棒２０４、中横管２０２はいずれも継手２０５に着脱可
能に接続される。
【００１４】
好ましくは、展開棒８の外周にスリーブ８１が取付けられている。
【００１５】
この実用新案の利点は、取り外しが便利で、すばやく、取り外したバルクは小型の包装箱
に入れられ、持ち運びや輸送に便利であることである。
【００１６】
支持座ユニットが上支棒に外嵌されているので、クッションユニットは底座ユニットに取
付可能であるとともに、クッションユニットは取外可能である。前引きテープ、後引きテ
ープは、クッション本体の前後端と支持座ユニットとを固定接続するものである。これら
によって、人はクッション本体上に座っていると、固定支持点である支持座ユニットを回
って動揺動作ができる。クッション本体はズック製とし、強度が良好である。クッション
本体上に人がかけて動揺しても断裂することもない。しかも、折り畳んで包装することも
でき、体積を小さくさせる。ところが、クッション本体は、シワやおりなどが容易に発生
することを踏まえて、前引きリング、後引きリングに展開棒を挿設させるように改良する
ことによって、展開棒によってクッション本体を延伸させて展開状態を呈させるようにで
きる。また、展開棒は、手触れとしても用いられても、腕を展開棒に置いてもよい。左底
座は、クッションユニットの左側にある固定テープユニットを支持するものであり、右底
座は、クッションユニットの右側にある固定テープユニットを支持するものである。一般
的に市販されるレジャー椅子は、１本の中横管によって左底座、右底座を接続するもので
あるが、一般的なレジャー椅子は不動状態の構成である。これに対して、本実用新案にか
かるクッション本体は、人体と伴って動揺可能となり、左底座、右底座に大きな動揺ねじ
りを受けるとなるので、２本の中横管を設けるとする。左底座、右底座の接続強度を増加
できるのみならず、左底座、右底座を左右対称的状態にさせることもできる。クッション
本体動揺に際して、左底座、右底座に力を受けると、位置ずれが発生しがたく、本考案物
の枠崩が防がれている。
【図面の簡単な説明】
【００１７】
【図１】本実用新案の組み合わせの概略図である。
【図２】本実用新案の分解概略図である。
【図３】クッションユニットの分解概略図である。
【図４】クッションユニットの組立概略図である。
【考案を実施するための形態】
【００１８】
本実用新案の目的、技術方案及び利点をより明確にするために、以下、図面及び実施例に
関連して、本実用新案についてさらに詳細に説明する。ここで説明した具体的な実施形態
は、本考案を説明するためだけに用いられ、本考案を限定するものではないことを理解す
べきである。
【００１９】
図１〜４に示すように、組立分解容易な揺り椅子は、クッションユニット１００と、底座
ユニット２００とを備えている。底座ユニット２００は、左底座２０３と、右底座２０１
と、および左底座２０３と右底座２０１とを接続する２本の中横管２０２とを備えている
。左底座２０３と右底座２０１とが対称的に設置されている。左底座２０３に上支棒２０
４が設けられている。クッションユニット１００は、クッション本体１と、および、２本
の左右対称的な固定テープユニットと、を備えている。固定テープユニットは、前引きテ
ープ４と、後引きテープ３とを備えている。それぞれに前引きテープ４に前引きリング４
１、後引きテープ３に後引きリング３１が設けられている。前引きリング４１および後引
きリング３１内に展開棒８が設けられている。前引きテープ４に支持座ユニット５０が設
けられ、支持座ユニット５０に上支棒２０４が挿設されている。
【００２０】
それぞれに、前引きリング４１はクッション本体１の前端に、後引きリング３１はクッシ
ョン本体１の後端に固定接続されている。クッション本体はズック製とするが、しわや折
りなどが発生しやすい。前引きリングと後引きリングに展開棒を挿通させているので、展
開棒によってクッション本体を延伸させて展開状態を成し得る。
【００２１】
支持座ユニット５０は、上受け座５と、下受け座６とを備えている。上受け座５と下受け
座６とが固定接続されている。前引きテープ４は、上受け座５と下受け座６の間に設置さ
れている。クッション本体上に人が座ると、人体と伴ってクッション本体が動揺でき、か
つ、支持座ユニットは動揺場合における固定支持点となっている。前引きテープが支持座
ユニットにギュッと接続できるので、前引きテープが力を受けると、支持座ユニットとの
接続部において緩み、滑りなどが発生しない。
【００２２】
下受け座６は支持孔６３を備えている。支持孔６３に上支棒２０４が挿設されるように構
成される。支持孔と上支棒との挿設によって容易にクッションユニットを上支棒に取付る
ことができるので、クッションユニットを取り外し包装することも簡易となる。
【００２３】
上受け座５に内窪溝５２が設けられている。下受け座６に凸起部６２が設けられている。
前引きテープ４の両端面はそれぞれ内窪溝５２、凸起部６２に緊密に貼合されている。内
窪溝、凸起部によって前引きテープとの接触面積を増大できるので、摩擦力も増大できる
。したがって、前引きテープは支持座ユニットに緊密に接続することができる。クッショ
ン本体上に人が座っっていると、前引きテープに力を加えたら、支持座ユニットとの接続
部においては、緩み、滑りなどが発生しない。
【００２４】
上受け座５にネジ孔５１が設けられている。下受け座６に接続孔６１が設けられている。
ネジ孔５１に接続孔６１を貫通しているネジ７が取付けられている。このようなネジ接続
によって、生産加工は、簡単になり、効率が高く、上受け座と下受け座の接続強度が向上
する。
【００２５】
固定テープユニットにクッション本体１に接続されるテンションテープ２が設けられてい
る。それぞれにテンションテープ２に第１の調整リング２１が、後引きテープ３に第２の
調整リング３２が設けられている。第１の調整リングによってテンションテープの長度を
調整できるので、テンションテープの緊張度は調整可能である。同じように、第２の調整
リングは後引きテープの緊張度調整用に供することができる。
【００２６】
クッション本体１にカップ溝１１と腰掛け１２が設けられている。テンションテープ２と
腰掛け１２とが固定接続されている。カップ溝内に茶碗などを置いてもよい。人がクッシ
ョン本体上に座り、背中が腰掛けにより掛けると、腰掛は後方向に横倒れていって、人を
リーンバックさせる。一方、テンションテープによって腰掛けを引き止めることによって
、倒れすぎるのを防止する。
【００２７】
左底座２０３に継手２０５、および２本の継手２０５に着脱可能に接続される下支棒２０
６が設けられている。上支棒２０４、中横管２０２はいずれも継手２０５に着脱可能に接
続される。継手と下支棒、上支棒、および中横管との間は圧力嵌合接続とするので、下支
棒、上支棒、中横管を継手から外して、包装することができるので、各部分や部品をそれ
ぞれ包装して、容易に操作でき、包装箱も小体積にしてもよく、車に乗って搬送できる。
【００２８】
展開棒８の外周にスリーブ８１が取付けられている。スリーブはスポンジ製とするが、腕
をスリーブに置いていたら、快適感をもたらすとともに、展開棒を保護することもできる
。
【００２９】
以上述べた本実用新案のより良い実施例にすぎない。本実用新案を限定するものではなく
、本実用新案の精神及び原則の内に作成されたいかなる修正、同等の代替及び改良等は、
本実用新案の保護範囲に含まれるものとする。
【図１】
0003234094.tif 000003
【図２】
0003234094.tif 000004
【図３】
0003234094.tif 000005
【図４】
0003234094.tif 000006